(57)【要約】【課題】  雨天であっても蝋燭等に火を灯すことができ、蝋燭等の熱で傷むことのない葬祭用香炉を提供する。【解決手段】  台座１１と、天板１２と、台座１１と天板１２を連結し、台座１１と天板１２を３区画に仕切る一対の仕切壁１３、１４と、３区画の中央に設けられ、磨尼車又は回転墓誌からなる回転体１５と、左右の区画に設けられ、蝋燭立１６、線香立１７等の仏具を載置する開閉自在な箱状の飾り箱１８、１９とを備えた葬祭用香炉１０であって、上記開閉自在な飾り箱１８、１９を水平断面コ字状に形成すると共に上部を開放するように形成し、飾り箱１８、１９を閉じたとき飾り箱１８、１９の開口部２７が上記仕切壁１３、１４に臨むよう、開いたとき上記開口部２７が正面を向くように飾り箱１８、１９を台座１１と天板１２間に回転自在に設け、さらに飾り箱１８、１９が開いた状態でその飾り箱１８、１９の上部開放部２８が天板１２の端部から一部はみ出すように形成したものである。【選択図】  図１
2006188921.tif 000002
【特許請求の範囲】
【請求項１】
台座と、天板と、台座と天板を連結し、台座と天板を３区画に仕切る一対の仕切壁と、３区画の中央に設けられ、磨尼車又は回転墓誌からなる回転体と、左右の区画に設けられ、蝋燭立、線香立等の仏具を載置する開閉自在な箱状の飾り箱とを備えた葬祭用香炉であって、上記開閉自在な飾り箱を水平断面コ字状に形成すると共に上部を開放するように形成し、飾り箱を閉じたとき飾り箱の開口部が上記仕切壁に臨むよう、開いたとき上記開口部が正面を向くように飾り箱を台座と天板間に回転自在に設け、さらに飾り箱が開いた状態でその飾り箱の上部開放部が天板の端部から一部はみ出すように形成したことを特徴とする葬祭用香炉。
【請求項２】
上記飾り箱は、閉じたときその前面に装飾が施されると共に、端面が台座と天板の端面に合致するように形成される請求項１記載の葬祭用香炉。
【請求項３】
左右の飾り箱は、仏具が載置される底板を有すると共に、底板からそれぞれ起立した後壁、側壁及び前壁とを有し、後壁、側壁及び前壁で断面コ字状に形成され、後壁と側壁の隅部が回転軸で台座と天板間に回転自在に支承される請求項１又は２記載の葬祭用香炉。
【請求項４】
天板の側端部から回転軸までの距離が飾り箱の側壁の長さより短く形成され、これにより飾り箱を開いたときその飾り箱の上部が一部開放される請求項３記載の葬祭用香炉。
【請求項５】
台座に脚を設けて台座の下方に香炉皿を設置するための空間を形成し、上記香炉皿内で線香を焚くように形成された葬祭用香炉であって、台座の底面に香炉皿からの熱を遮るための金属板を中央部を台座から離間させると共に端部を台座に当接させるように屈曲して設けたことを特徴とする葬祭用香炉。
【請求項６】
上記金属板の屈曲部近傍に、熱気の対流を促すための孔を複数形成した請求項５記載の葬祭用香炉。
【請求項７】
上記金属板は、台座に着脱自在に設けられた請求項５又は６記載の葬祭用香炉。
【発明の詳細な説明】
【技術分野】
【０００１】
本発明は、墓地等の屋外に設置され蝋燭や線香を焚くための葬祭用香炉に関するものである。
【背景技術】
【０００２】
墓地等に設置される葬祭用香炉にあっては、雨天でも礼拝・供養できるように改良されたものが開発されている。具体的には、特許文献１記載の葬祭用香炉が知られている。
【０００３】
この葬祭用香炉は、基台上の中央に線香等を焚くための蓋付き炉を設けると共に、基台上の左右両側に横扉で開閉自在に形成された小部屋を設け、それぞれの小部屋の中に蝋燭立を設けると共に小部屋上に天板を設けて構成されている。
【０００４】
これによれば、蝋燭立の蝋燭に火を灯すとき蝋燭の上方は天板で覆われているため、雨天であっても火を灯すことができる。
【０００５】
また、上述の葬祭用香炉は石材で作られている。葬祭用香炉は墓標の美観を左右する重要な備品であり、美観に優れた石材を用いることが一般的に求められるからである。
【０００６】
【特許文献１】意匠登録第１１８１１３６号公報
【発明の開示】
【発明が解決しようとする課題】
【０００７】
しかしながら、上述の葬祭用香炉は、天板と壁とで囲まれた小部屋の中で蝋燭を灯すこととなるため、熱の逃げ場が少なく、天板が高温になって傷むという課題があった。そして、高温となった天板を水等で急激に冷やすと、石目から割れてしまう可能性もあった。
【０００８】
そこで、本発明の目的は上記課題を解決し、雨天であっても蝋燭等に火を灯すことができ、蝋燭等の熱で傷むことのない葬祭用香炉を提供することにある。
【課題を解決するための手段】
【０００９】
上記課題を解決するために本発明は、台座と、天板と、台座と天板を連結し、台座と天板を３区画に仕切る一対の仕切壁と、３区画の中央に設けられ、磨尼車又は回転墓誌からなる回転体と、左右の区画に設けられ、蝋燭立、線香立等の仏具を載置する開閉自在な箱状の飾り箱とを備えた葬祭用香炉であって、上記開閉自在な飾り箱を水平断面コ字状に形成すると共に上部を開放するように形成し、飾り箱を閉じたとき飾り箱の開口部が上記仕切壁に臨むよう、開いたとき上記開口部が正面を向くように飾り箱を台座と天板間に回転自在に設け、さらに飾り箱が開いた状態でその飾り箱の上部開放部が天板の端部から一部はみ出すように形成したものである。
【００１０】
上記飾り箱は、閉じたときその前面に装飾が施されると共に、端面が台座と天板の端面に合致するように形成されるとよい。
【００１１】
また、左右の飾り箱は、仏具が載置される底板を有すると共に、底板からそれぞれ起立した後壁、側壁及び前壁とを有し、後壁、側壁及び前壁で断面コ字状に形成され、後壁と側壁の隅部が回転軸で台座と天板間に回転自在に支承されるとよい。
【００１２】
天板の側端部から回転軸までの距離が飾り箱の側壁の長さより短く形成され、これにより飾り箱を開いたときその飾り箱の上部が一部開放されるとよい。
【００１３】
また、台座に脚を設けて台座の下方に香炉皿を設置するための空間を形成し、上記香炉皿内で線香を焚くように形成された葬祭用香炉であって、台座の底面に香炉皿からの熱を遮るための金属板を中央部を台座から離間させると共に端部を台座に当接させるように屈曲して設けたものである。
【００１４】
上記金属板の屈曲部近傍に、熱気の対流を促すための孔を複数形成するとよい。また、上記金属板は、台座に着脱自在に設けられるようにするとよい。
【発明の効果】
【００１５】
本発明によれば、葬祭用香炉が蝋燭等の熱で傷むのを防ぐことができる。
【発明を実施するための最良の形態】
【００１６】
図１は、葬祭用香炉の一部を破断した斜視図である。図２は葬祭用香炉の使用状態を示す正面図であり、図３は図２の平面図である。
【００１７】
図１及び図２に示すように、葬祭用香炉１０は、台座１１と、台座１１の上方に離間して配置され雨よけの笠を構成する天板１２と、台座１１と天板１２の間に設けられ台座１１と天板１２を３区画に仕切る一対の仕切壁１３、１４と、３区画の中央に設けられ、磨尼車又は回転墓誌からなる回転体１５と、左右の区画に設けられ、蝋燭立１６、線香立１７等の仏具を載置する開閉自在な箱状の飾り箱１８、１９とを備えて構成されている。
【００１８】
台座１１と天板１２は、石板からなり、平面視略矩形状に形成されている。仕切壁１３、１４は、それぞれ平面視略Ｌ字状に形成されており、前後に延びる仕切部２０と、仕切部２０の後端から屈曲して外側に延びる屈折部２１とを備えて構成されている。また図１及び図４に示すように、仕切部２０の前端には後述する飾り箱１８、１９への指の掛かりを容易にするための傾斜面２２が形成されている。左右の仕切壁１３、１４は、それぞれ左右対称に形成されている。
【００１９】
回転体１５は、石材を略円柱状に形成すると共に外周に戒名や碑文、お経等を刻んで形成されており、台座１１上に縦軸回り回転自在に設けられている。これにより、石塔の背面等に回り込まなくても回転体１５を回転させるだけで戒名や碑文等を読むことができるようになっている。回転体１５は、外周にお経を刻まれることで磨尼車となり、戒名等を刻まれることで回転墓誌となる。
【００２０】
図１及び図３に示すように、飾り箱１８、１９は、水平断面コ字状に形成されると共に上部を開放された略箱状に形成されている。具体的には、左右の飾り箱１８、１９は、仏具が載置される底板２３を有すると共に、底板２３からそれぞれ起立した後壁２４、側壁２５及び前壁２６とを有して構成されており、後壁２４と側壁２５と前壁２６とで断面コ字状に形成されている。すなわち、飾り箱１８、１９には、一側に開口された開口部２７が形成されると共に、上方に開放される上部開放部２８が形成されている。図１及び図５に示すように飾り箱１８、１９の前面には、閉じたときに正面に向いて美感を起こさせるための装飾２９が施されている。装飾２９は格子状に形成されており、格子越しに内部が見えるように構成されている。図２に示すように、一方の飾り箱１９の底板２３には、線香立１７を差し込んで係止するための凹部３０が形成されており、線香立１７の位置ずれを防ぐようになっている。また、左右の飾り箱１８、１９は、それぞれ左右対称に形成されている。
【００２１】
飾り箱１８、１９は、閉じたとき開口部２７を仕切壁１３、１４の仕切部２０に臨ませて開口部２７を塞ぎつつ端面を台座１１と天板１２の端面に合致させるように形成されており、開いたとき開口部２７を正面に向けつつ、上部開放部２８を天板１２の端部から一部はみ出すように台座１１と天板１２間に回転自在に設けられている。具体的には、飾り箱１８、１９の後壁２４と側壁２５の隅部が回転軸３４で台座１１と天板１２間に回転自在に支承されており、天板１２の側端部から回転軸３４までの距離Ｌ１が飾り箱１８、１９の側壁２５の長さ（内側）Ｌ２より短くなるように形成されている。そして、これにより飾り箱１８、１９を開いたときその飾り箱１８、１９の上部が一部開放されるようになっている。
【００２２】
また、飾り箱１８、１９は、前壁２６と側壁２５の外側を末広がりに湾曲して形成されており、美感を起こさせるようになっている。図３に示すように、側壁２５の下部拡幅部３１は、飾り箱１８、１９を開いたとき仕切壁１３、１４の屈折部２１に当接して飾り箱１８、１９の回りすぎを防ぐストッパとしても機能するようになっている。
【００２３】
次に本実施の形態の作用を述べる。
【００２４】
葬祭用香炉１０を使用する場合、図２及び図３に示すように、開口部２７を正面に向けるように飾り箱１８、１９を回転させ、観音開き状に飾り箱１８、１９を開く。このとき、仕切壁１３、１４の前端には傾斜面２２が形成されているため、容易に飾り箱１８、１９に指を掛けることができ、飾り箱１８、１９を容易に回転させることができる。また、飾り箱１８、１９は略９０°回転することで側壁２５の下部拡幅部３１を仕切壁１３、１４に当てて回転を止められるため、容易に正確な位置に開くことができる。飾り箱１８、１９は前壁２６を天板１２及び台座１１の外側に突出させ、上部開放部２８の一部を天板１２の端部からはみ出させた状態となる。
【００２５】
この後、飾り箱１８、１９内の蝋燭立１６及び線香立１７に蝋燭３２及び線香３３を立て、蝋燭３２に火を灯すと共に線香３３を焚く。
【００２６】
蝋燭３２及び線香３３から発せられる熱気は、煙と共に上るが、飾り箱１８、１９の上部開放部２８が天板１２の端部からはみ出して一部開放されているため、熱気は上部開放部２８から上方に逃げ、天板１２が高温となるのを防ぐことができる。そして特に、飾り箱１８、１９の開口部２７が正面に向いて開放されていることから、外気が開口部２７から飾り箱１８、１９内に入って上部開放部２８から抜け出るという気流が生じ、煙突と同様の効果を発揮する。このため、蝋燭３２等の熱気は天板１２近傍に滞ることなく効率よく外部に放出され、天板１２の温度上昇を防ぐことができる。また、線香３３にあっては特に煙を香炉の上方に出すことができるため、煙が礼拝の邪魔となるのを防ぐことができ、蝋燭３２にあっては煙突効果によって安定した明るい灯火を得ることができる。
【００２７】
またさらに、上部開放部２８が開放されるのは天板１２の端部からはみ出す一部であるため、蝋燭立１６と線香立１７は天板１２下に位置させることができ、雨天であっても蝋燭３２や線香３３に雨が当たるのを防ぐことができる。
【００２８】
戒名等を読むときは、回転墓誌たる回転体１５を回転させることで回転体１５の外周に刻まれた戒名等の全文を読むことができ、葬祭用香炉１０の正面から移動せずとも容易になし得る。
【００２９】
葬祭用香炉１０を使い終わったら、図４及び図５に示すように飾り箱１８、１９を閉じる。飾り箱１８、１９の端面は、台座１１と天板１２の端面にそれぞれ合致され、天板１２下に収まる。また、飾り箱１８、１９の前壁２６には、格子状の装飾２９が施されており、格子越しに内部が見えるようになっているため、格子越しに漏れる蝋燭３２の灯火で周囲をぼんやりと照らすことができ、余韻を残すことができる。このとき、蝋燭３２及び線香３３は礼拝で使用した残りであるため、十分短くなっており、天板１２を高温にすることはない。
【００３０】
このように、開閉自在な飾り箱１８、１９を水平断面コ字状に形成すると共に上部を開放するように形成し、飾り箱１８、１９を閉じたとき飾り箱１８、１９の開口部２７が仕切壁１３、１４に臨むよう、開いたとき開口部２７が正面を向くように飾り箱１８、１９を台座１１と天板１２間に回転自在に設け、さらに飾り箱１８、１９が開いた状態でその飾り箱１８、１９の上部開放部２８が天板１２の端部から一部はみ出すように形成したため、雨天であっても蝋燭３２等に火を灯すことができ、蝋燭３２等の熱で葬祭用香炉１０が傷むのを防ぐことができる。
【００３１】
また、飾り箱１８、１９は、閉じたときその前面に装飾２９が施されると共に、端面が台座１１と天板１２の端面に合致するように形成したため、飾り箱１８、１９を閉じることで天板１２下に収めることができ、蝋燭立１６や線香立１７が風雨にさらされるのを防ぐことができる。
【００３２】
そして、左右の飾り箱１８、１９は、仏具が載置される底板２３を有すると共に、底板２３からそれぞれ起立した後壁２４、側壁２５及び前壁２６とを有し、後壁２４、側壁２５及び前壁２６で断面コ字状に形成され、後壁２４と側壁２５の隅部が回転軸３４で台座１１と天板１２間に回転自在に支承されるものとしたため、飾り箱１８、１９を簡易で実用的な構造にできる。
【００３３】
また、天板１２の側端部から回転軸３４までの距離Ｌ１が飾り箱１８、１９の側壁２５の長さＬ２より短く形成され、これにより飾り箱１８、１９を開いたときその飾り箱１８、１９の上部が一部開放されるものとしたため、飾り箱１８、１９を簡単な構造で容易に天板１２下から出没させることができ、安価なものにできる。
【００３４】
なお、飾り箱１８、１９の底板２３に線香立１７を差し込むための凹部３０が上下に貫通する孔であるものを図示したが、貫通しない窪みであってもよいのは勿論である。
【００３５】
他の実施の形態について述べる。
【００３６】
一般に線香の使用方法は、地方や宗派等に異なり、立てずに横にして使用する地方等もある。この場合、上述の葬祭用香炉１０を用いることはできない。このため、線香を横にして使用する葬祭用香炉であって、雨天であっても蝋燭３２等に火を灯すことができ、蝋燭３２等の熱で傷まないように構成した葬祭用香炉について述べる。なお、台座より上の部分は左右の飾り箱が共に蝋燭用である点を除いて上述と同様であるため、同符号を付し、説明を省く。
【００３７】
図６は葬祭用香炉の正面図であり、図７は断熱用の金属板の底面図であり、図８は図７の側面図である。
【００３８】
図６に示すように、葬祭用香炉４０は、台座１１と、台座１１の上方に離間して配置され雨よけの笠を構成する天板１２と、台座１１と天板１２の間に設けられ台座１１と天板１２を３区画に仕切る一対の仕切壁１３、１４と、３区画の中央に設けられ、磨尼車又は回転墓誌からなる回転体１５と、左右の区画に設けられ、蝋燭立１６等の仏具を載置する開閉自在な箱状の飾り箱１８とを備えて構成されている。
【００３９】
台座１１には、脚４１が設けられており、台座１１の下方には香炉皿４２を設置するための空間Ｓが形成されている。具体的には、脚４１は台座１１の四隅にそれぞれ設けられており、台座１１下の中央に香炉皿４２を設置するようになっている。台座１１の底面中央には、香炉皿４２から立ち上がる熱を遮るための金属板４３が設けられている。
【００４０】
金属板４３は、香炉皿４２上を覆う大きさに形成されると共に矩形状に形成されている。金属板４３の長手方向の両端部には、ネジを通すための孔４４が形成されており、金属板４３を台座１１の底面に着脱自在に設けるようになっている。また、金属板４３の長手方向の両端部は、中央部を台座１１から離間させるように屈曲形成されており、金属板４３の中央部から台座１１に直接熱を伝えないようになっている。具体的には、金属板４３は、中央部に略水平に形成され香炉皿４２からの熱を遮る受熱部４５と、受熱部４５の長手方向の両端から上方に屈曲される立板部４６と、立板部４６の上端から水平方向外側に延出して台座１１に当接されネジを通すための孔４４を有する留め代部４７とからなる。受熱部４５の両端近傍と、立板部４６には、それぞれ熱気の対流を促すための孔４８が複数形成されており、受熱部４５から留め代部４７へ向かって伝わる熱を効率よく放出し、留め代部４７に熱を伝えないようになっている。また、受熱部４５に形成される孔４８と、立板部４６に形成される孔４８は、互い違いに位置をずらして形成されており、金属板４３端部の周囲に複雑な気流を発生させるようになっている。
【００４１】
次に本実施の形態の作用を述べる。
【００４２】
香炉皿４２で線香を焚くとその熱は煙と共に上昇し、金属板４３の受熱部４５に当たる。これにより受熱部４５は熱せられる。このとき、受熱部４５が熱を受けるのは線香の燃焼部分に臨む位置だけであるため、局所的に受けた熱は受熱部４５全体に伝わりながら徐々に放熱されることとなる。またさらに、受熱部４５の長手方向の端部と立板部４６とには熱気の対流を促すための孔４８が形成されているため、受熱部４５と台座１１との間の空間には空気の流れがあり、受熱部４５を効率よく冷やすことができる。特に受熱部４５の長手方向両端部の周囲には、互い違いの複数の孔４８によって複雑な気流が発生するため、受熱部４５の長手方向両端部を効率よく冷やすことができ、熱が留め代部４７まで伝わることはほとんどない。
【００４３】
このように、台座１１の底面に香炉皿４２からの熱を遮るための金属板４３を中央部を台座１１から離間させると共に端部を台座１１に当接させるように屈曲して設けたため、香炉皿４２からの熱を簡単な構造で確実に遮ることができ、台座１１が熱せられて葬祭用香炉４０が傷むのを防ぐことができる。
【００４４】
また、金属板４３の屈曲部近傍に、熱気の対流を促すための孔４８を複数形成したため、金属板４３を効率よく冷やすことができる。
【００４５】
金属板４３は、台座１１に着脱自在に設けられるものとしたため、清掃や交換等のメンテナンスを容易に行うことができる。
【００４６】
なお、金属板４３は、受熱部４５を一枚の板で形成するものとしたが、立板部４６間に他の金属板（図示せず）を掛け渡して設け、多層構造としてもよい。
【図面の簡単な説明】
【００４７】
【図１】本発明の好適実施の形態を示す葬祭用香炉の斜視図である。
【図２】葬祭用香炉の使用状態を示す正面図である。
【図３】図２の平面図である。
【図４】葬祭用香炉の飾り箱を閉じた状態の平面図である。
【図５】図４の正面図である。
【図６】他の実施の形態を示す葬祭用香炉の正面図である。
【図７】断熱用の金属板の底面図である。
【図８】図７の側面図である。
【符号の説明】
【００４８】
１０  葬祭用香炉
１１  台座
１２  天板
１３  仕切壁
１４  仕切壁
１５  回転体
１６  蝋燭立
１７  線香立
１８  飾り箱
１９  飾り箱
２７  開口部
２８  上部開放部
【図１】
2006188921.tif 000003
【図２】
2006188921.tif 000004
【図３】
2006188921.tif 000005
【図４】
2006188921.tif 000006
【図５】
2006188921.tif 000007
【図６】
2006188921.tif 000008
【図７】
2006188921.tif 000009
【図８】
2006188921.tif 000010